(57)【特許請求の範囲】
【請求項１】
食器洗い機の洗浄室内で水を噴射する噴射口を有するアームを、洗浄室の底部に取り付けているアームの取付構造であって、
洗浄室の底部は、立設された支持軸を有し、
この支持軸は、アームの下面に形成された孔内に入れられ、
アームは、洗浄室の底部において支持軸回りに取り外し可能に回転自在に支持されており、
アームの上方には、食器籠が配置され、
この食器籠の下面とアームの上面との間には所定の間隔が開けられ、
この所定の間隔よりも長い距離で、支持軸がアームの孔内へ入り込んでいることを特徴とするアームの取付構造。
【発明の詳細な説明】
【０００１】
【発明の属する技術分野】
本発明は、食器等を洗浄する食器洗い機に関する。特に、洗浄水を噴射する噴射口を有するアームを洗浄室に取り付けるためのアームの取付構造に関する。
【０００２】
【従来の技術】
食器洗い機は、例えば、密閉された洗浄室の内部に食器籠を配置し、この食器籠の中に食器を入れて洗浄する。洗浄時には、水が、食器籠の下方にある、中空状のアームに設けられた噴射口から噴射される。アームは、洗浄室の底部に回動自在に設けられて、アーム内には、洗浄室の下方に設けられたポンプから水が圧送される。
【０００３】
アームは、以下のように取り付けられている。すなわち、洗浄室の底部に形成された孔に、筒状の支持軸が固定される。また、アームには、支持軸が挿通し上下に延びた貫通孔が設けられている。支持軸に、アームの貫通孔を通すと、この状態で、支持軸の上端部は、アームの上方へ抜け出ている。支持軸の上端部には雄ねじが形成されており、この雄ねじにナットをねじ込み、ナットにより上方からアームを支持軸から抜けないように固定していた。
【０００４】
【発明が解決しようとする課題】
しかしながら、ナットをねじ込み固定する構造では、ねじの締め込みが固くなって、ナットを取り外し難くなる場合がある。このような場合、アームを取り外すのは困難であり、食器洗い機の掃除もし難い。
また、ナットの製造には、例えば、樹脂成形する場合に複雑な金型を必要とすることから、製造コストを低減し難く、このような部品を使わずに済ませることができれば好ましい。
【０００５】
そこで、本発明の目的は、上述の技術的課題を解決し、アームを容易に着脱できて、しかも製造コストを低減できる食器洗い機のアームの取付構造を提供することである。
【０００６】
【課題を解決するための手段】
請求項１に記載のアームの取付構造は、食器洗い機の洗浄室内で水を噴射する噴射口を有するアームを、洗浄室の底部に取り付けているアームの取付構造であって、  洗浄室の底部は、立設された支持軸を有し、この支持軸は、アームの下面に形成された孔内に入れられ、アームは、洗浄室の底部において支持軸回りに取り外し可能に回転自在に支持されており、アームの上方には、食器籠が配置され、この食器籠の下面とアームの上面との間には所定の間隔が開けられ、この所定の間隔よりも長い距離で、支持軸がアームの孔内へ入り込んでいることを特徴とする。
【０００７】
この構成によれば、アームの孔内に支持軸を入れて、アームを支持軸回りに支持させると、アームは支持軸により水平方向に位置規制されて、噴射口から水を噴射することができる。水が噴射されると、その反力がアームを下方に押すので、アームが外れることが防止される。
万一、アームが水圧により持ち上げられる場合であったとしても、食器籠の下面とぶつかることにより、持ち上げ量が規制されるので、アームが外れることを確実に防止することができる。
【００１８】
【発明の実施の形態】
以下、本発明の一実施の形態の食器洗い機を、添付図面を参照しながら詳細に説明する。図１は、上述の食器洗い機の概略構成の側面断面図である。
食器洗い機１は、外形を形成するキャビネット２を有している。このキャビネット２の前面下部には、食器洗い機１を操作するための操作パネル（図示せず）が設けられている。この操作パネルは、キャビネット２の前面下部に配置されたケース２２の前面に水密状態で設けられ、その背後となるケース２２の内部には、食器洗い機１を運転するための回路基板２４等が収容されている。ケース２２の上方に、開閉扉２１が開閉機構２７により開閉自在に取り付けられている。開閉扉２１の奥となるキャビネット２の内部に、食器を洗浄するための洗浄室３が配置されている。
【００１９】
洗浄室３は、箱状に形成され、前部開口を有している。この前部開口が洗浄時に開閉扉２１により密閉される。洗浄室３の内部には、食器を保持する食器籠４が着脱自在に配置され、この食器籠４の下方には、複数の噴射口５ａを有するアーム５が配置されている。アーム５の各噴射口５ａから洗浄水が噴射される。
洗浄室３の後方には、管１１、電磁弁１２が設けられ、これらにより水道等の外部の給水設備（図示せず）から洗浄水を洗浄室３内に供給することができる。洗浄室３の底部３ａは、容器状に形成されており、ここに洗浄水を溜めることができる。洗浄室３の底部３ａは一段低い凹部３ｂを有し、この凹部３ｂが管１３を介して洗浄ポンプ１４に接続され、この洗浄ポンプ１４の吐出口は、管１５を介してアーム５へとつながっている。洗浄ポンプ１４が運転されると、洗浄水は、洗浄室３の凹部３ｂから吸い込まれてアーム５へ圧送される。アーム５は、鉛直方向に延びる支持軸６回りに回転自在に支持されており、洗浄水が噴射されるときの反力、特にその水平方向成分により回転しながら、噴射口５ａから洗浄水を食器に吹き付けて、食器をむらなく洗浄する。その後、洗浄水は洗浄室３の底部３ａに戻り、洗浄ポンプ１４、アーム５へと循環しながら、洗浄が行われる。洗浄後、洗浄水は、排水ポンプ１６により排水管１７を通して排水される。
【００２０】
アーム５は、内部に水を通す中空構造を有し、水平方向に延びている。アーム５は、上面部５１と、下面部５２とを有している。上面部５１および下面部５２の周縁部は互いに接合され、その間に通水することができる。上面部５１に、上述の各噴射口５ａが設けられ、水を上方や斜め上方に向けて互いに異なる向きに噴射するようになっている。
【００２１】
ところで、アーム５を取り外して、アーム５等の水路や洗浄室３内部を清掃できることが望ましい。本実施の形態では、食器籠４を洗浄室３内から取り外した状態で、アーム５は、以下の取付構造Ｃにより洗浄室３の底部３ａに容易に着脱することができる。
以下、詳細に説明する。
【００２２】
取付構造Ｃでは、洗浄室３の底部３ａは一段高い凸部３ｃを有し、この凸部３ｃに支持軸６が立設されている。支持軸６は、洗浄室３の底部３ａからアーム５内へ水を送るための筒形状の管部材であり、これとともに、アーム５を洗浄室３の底部３ａにある回転中心位置に位置決めしつつ回転自在に支持する。図２に示すように、支持軸６が、アーム５の中央部の内部に、アーム５の下面部５２に形成された孔５ｂを通じて差し入れられている。支持軸６とアーム５とは、互いに嵌め合わされているが、通常の嵌合隙間に比べて大きな隙間とされている。この状態で、アーム５は洗浄室３の凸部３ｃにある載置部３ｅに取り外し可能に載せられている。
【００２３】
特に、アーム５は、洗浄室３の底部３ａに載せられただけの状態であり、ねじ止め等の上方への抜け止めは施されずに、取り外し可能な状態とされ、この状態でアーム５内に通水される。
洗浄室３の底部３ａの凸部３ｃには、筒部３ｊが下方へ延びている。筒部３ｊの外周面に、管１５が取付金具１８により固定されている。また、筒部３ｊには、内周面からなり支持軸６が嵌まる取付孔３ｋが形成され、この取付孔３ｋの上端周縁部に環状凸部３ｄが形成されている。この環状凸部３ｄの頂部に、上述の載置部３ｅが形成され、アーム５の下面部５２の当接部５２ｅと当接する。
【００２４】
取付孔３ｋは、その上下方向の中央部にあって円周面からなる第１周面３ｆと、第１周面３ｆの上方にあって第１周面３ｆよりも大径の第２周面３ｇと、第２周面３ｇと第１周面３ｆとの間に形成される段差面３ｈと、第１周面３ｆの下端部にある係止凹部３ｉとを有している。この係止凹部３ｉは、周方向の複数箇所に形成され、支持軸６の係止爪６ｉと係合している。
【００２５】
支持軸６は、取付孔３ｋに固定されている下部と、アーム５内部の水路に臨む中部と、アーム５の上面部５１に嵌め込まれる上部とで構成されている。支持軸６の上部および中部が、アーム５内に挿入されている。
支持軸６は、その中部および上部の境界近傍に、内部を上下に仕切る仕切部材６ａを有している。仕切部材６ａよりも下方となる支持軸６の内部は水を通す水路とされ、下端には、管１５と連通するための開口６ｃが形成されている。また、支持軸６の中部の周面には、仕切部材６ａの下方を流れる水を径方向の外方へ流出させる開口６ｂが形成されている。
【００２６】
支持軸６の下部の外周面には、下方から第１周面６ｆと、この第１周面６ｆに隣接し第２周面６ｇを含む環状のフランジ６ｄとが形成されている。また、支持軸６の中部および上部には、フランジ６ｄに隣接する第３周面６ｍと、第３周面６ｍと開口６ｂを挟んで設けられた第４周面６ｎと、第４周面６ｎの上端部から径方向の内方に延びる環状の載置部６ｏと、載置部６ｏの内周縁から上方に延びる第５周面６ｐとが形成されている。また、第５周面６ｐの内側には、仕切部材６ａの上面の外周縁部から上方に延びる第６周面６ｑが形成されている。載置部６ｏには、アーム５の上面部５１が載せられている。また、これら第１周面６ｆ〜第６周面６ｑの各周面は、同芯に形成されている。
【００２７】
支持軸６の第１周面６ｆは、取付孔３ｋの第１周面３ｆと隙間をほぼ除去された状態で嵌合する。第１周面６ｆには、下方に延びる舌片６ｊの上端部が接続され、この舌片６ｊの下端部に、鉤状の係止爪６ｉが径方向の外方に突出している。舌片６ｊの下端部は径方向に弾性変形可能に構成されているので、支持軸６が取付孔３ｋに上方から嵌め込まれる際には、係止爪６ｉは内側へ弾性変形し、邪魔にならずに、取付孔３ｋの奥にまで嵌め込まれて、取付孔３ｋの係止凹部３ｉに弾性力により入り込む。この弾性力を利用して、係止爪６ｉと係止凹部３ｉとは、確実に係止されている。
【００２８】
フランジ６ｄの第２周面６ｇは、第１周面６ｆよりも大径に形成されている。第２周面６ｇは、取付孔３ｋの第２周面３ｇと嵌合し、支持軸６を水平方向にがたつきなく位置決めする。また、フランジ６ｄの下面６ｈは、取付孔３ｋの段差面３ｈに当接して、支持軸６を上下方向に位置決めする。
開口６ｂは、フランジ６ｄの上方にアーム５内に臨んで形成され、周方向の複数箇所に設けられている。開口６ｂの上端縁に、仕切部材６ａの下面６ｔがつながっている。
【００２９】
仕切部材６ａは、円錐形状を有し、その外周寄り部分が内周寄り部分よりも上方に位置している。仕切部材６ａの中央部には、仕切部材６ａの上方と下方とを連通する連通孔６ｕが形成され、仕切部材６ａの上面６ｓは、水が溜まらないように、連通孔６ｕに向けて下り傾斜している。また、仕切部材６ａの下面６ｔは、上面６ｓとほぼ平行に形成され、下方を流れる水圧を受け止めつつ、傾斜面により、水の流れの向きを上方から水平方向に変えて開口６ｂにスムーズに案内し、水をアーム５内に流出させる。このように、仕切部材６ａは、下方の水圧を受け止める圧受け部材であり、水を案内する案内部材でもある。
【００３０】
アーム５の下面部５２は、その中央部に上述の孔５ｂを有している。この孔５ｂは、上下方向に延びる内周面５２ｍの内部に形成されている。内周面５２ｍは、支持軸６の第３周面６ｍに対向している。また、内周面５２ｍの周縁部には、下方へ突出した環状の当接部５２ｅが形成され、洗浄室３の底部３ａの載置部３ｅに当接している。
【００３１】
アーム５の上面部５１は、支持軸６の上部を取り囲む以下の各部を有している。すなわち、支持軸６の仕切部材６ａの連通孔６ｕの上方を取り囲む内筒部５１ｂと、この内筒部５１ｂの上端部から径方向の外方に向けて水平に延びる頂面部５１ｃと、頂面部５１ｃの周縁から下方に向けて延びる外筒部５１ｄとが設けられている。外筒部５１ｄは、下端部を相対的に大径に形成されており、相対的に小径の上部内周面５１ｐと、相対的に大径の下部内周面５１ｎと、上部内周面５１ｐと下部内周面５１ｎとを接続する環状の当接部５１ｏとを有している。これらの各部は、アーム５の内側に下方に開く凹部を形成し、この凹部に支持軸６の上部が嵌め込まれている。
【００３２】
外筒部５１ｄの当接部５１ｏは、支持軸６の載置部６ｏに当接している。この２つの面が当接することを除き、上面部５１の凹部と支持軸６の上部とは、面同士の間に隙間が設けられている。また、下部内周面５１ｎは支持軸６の第４周面６ｎに、また、上部内周面５１ｐは支持軸６の第５周面６ｐに対向している。内筒部５１ｂの外周面５１ｑは、下部が小径となるテーパ状に形成され、支持軸６の第６周面６ｑに対向している。
【００３３】
これらの互いに対向する各周面、すなわち、アーム５の下面部５２の内周面５２ｍおよび支持軸６の第３周面６ｍと、アーム５の上面部５１の下部内周面５１ｎおよび支持軸６の第４周面６ｎと、上部内周面５１ｐおよび支持軸６の第５周面６ｐと、上面部５１の内筒部５１ｂの外周面５１ｑおよび支持軸６の第６周面６ｑとは、互いに嵌合し合う一対の嵌合面をそれぞれ構成している。
【００３４】
これらの各一対の嵌合面の間には、所定の隙間Ｓが開けられている。この隙間Ｓは、嵌合し易く、且つ嵌め合わせたときにアーム５を支持軸６に回転自在に支持でき、且つ隙間を水が通ることのできるように設定されている。
また、一対の嵌合面は、上下方向に沿った嵌合長さを所定値に設定されている。ここで、一対の嵌合面の嵌合長さとは、各嵌合面を嵌合状態から相対移動させて嵌合解除状態にするときの相対移動距離である。例えば、上面部５１の内筒部５１ｂの外周面５１ｑおよび支持軸６の第６周面６ｑの嵌合長さＬ１は、アーム５の頂面部５１ｃと食器籠４の下面４ａとの間の上下方向に測ったときの間隔Ｌ２よりも長く（Ｌ１＞Ｌ２）設定されている。また、上面部５１の上部内周面５１ｐおよび支持軸６の第５周面６ｐの嵌合長さＬ３も同様にＬ３＞Ｌ２に設定されている。
【００３５】
また、アーム５の上面部５１には、図３の平面図に示すように、支持軸６の上方に複数、例えば、５つの圧抜き孔５１ｆ，５１ｇが形成されている。これらの圧抜き孔５１ｆ，５１ｇは、連通孔６ｕおよび、上述の隙間Ｓを通った洗浄水を通し、この洗浄水による上向きの水圧を逃がすためのものである。
圧抜き孔５１ｆは、連通孔６ｕの直上に位置し、内筒部５１ｂの内側に形成されている。圧抜き孔５１ｆは、傾斜面を有し、この傾斜面では、下部の直径（図２の寸法ＤＢ）よりも出口となる上部の直径（図２の寸法ＤＣ）が大きく（ＤＣ＞ＤＢ）なっている。圧抜き孔５１ｆの下端部は、平面視で楕円形状である。楕円形状の小径（図２の寸法ＤＢ）は、連通孔６ｕの直径（図２の寸法ＤＡ）よりも大きく（ＤＢ＞ＤＡ）形成されている。また、圧抜き孔５１ｆの下端部は、連通孔６ｕに接近している。これにより、連通孔６ｕからの水を圧抜き孔５１ｆに入り易くし、且つ上述の隙間Ｓに入り難くできるので、アーム５の頂面部５１ｃに水圧がかかることを抑制することができる。
【００３６】
また、圧抜き孔５１ｇは、圧抜き孔５１ｆを取り囲んで頂面部５１ｃに形成されている。各圧抜き孔５１ｇは、上述の隙間Ｓの上方に位置し、円形状に形成されている。また、各圧抜き孔５１ｇの直径（図２の寸法ＤＥ）は、連通孔６ｕの直径ＤＡよりも大きく（ＤＥ＞ＤＡ）されている。これにより、異物が連通孔６ｕ、隙間Ｓを通ったとしても、圧抜き孔５１ｇを確実に通り、異物が詰まることを防止することができる。
【００３７】
次に動作を説明する。
洗浄運転中、洗浄ポンプ１４により、洗浄水は支持軸６の内部を上方へ向けて圧送される。洗浄水の大部分は、仕切部材６ａにより流れの向きを変えて、アーム５内に流入して各噴射口５ａから噴射される。また、洗浄水の一部は、連通孔６ｕから圧抜き孔５１ｆを通り、斜め方向を含む上方に噴出する。また、洗浄水の別の一部は、連通孔６ｕから隙間Ｓと、圧抜き孔５１ｇとを通り、上方に吹き出される。
【００３８】
ところで、本実施の形態では、アーム５は洗浄室３の底部３ａに載置されているだけであるので、洗浄ポンプ１４からの水圧によりアーム５が外れるかもしれないと心配されるが、そのようなことはない。というのは、水圧は支持軸６の仕切部材６ａに上向きに作用するが、支持軸６は洗浄室３の底部３ａに固定されているので、支持軸６が上方に外れることはない。また、水圧は、アーム５内では全方向に等しく作用するので、アーム５が上方に外れる虞はない。さらに、洗浄水が噴射口５ａから上方に向けて噴射されるときには、噴射の反力が下方に向けてアーム５に作用するので、アーム５は押しつけられて安定して支持される。
【００３９】
また、洗浄開始時には、上述の噴射の反力は作用しないことから、アーム５は上方に抜け易いと想定される。この状態であっても問題ない。というのは、万一、水が、仕切部材６ａの上方に入ったとしても、圧抜き孔５１ｆ，５１ｇにより水圧は弱められるし、仮に、アーム５が押し上げられるとしても、食器籠４の下面４ａにぶつかり、外れることはない。
【００４０】
このように本実施の形態の取付構造Ｃによれば、支持軸６をアーム５の孔５ｂ内に入れて、アーム５を底部３ａにある載置部３ｅや載置部６ｏに載せると、アーム５は水平方向に位置決めされて、噴射口５ａから水を噴射することができる。
アーム５は底部３ａに載せられているだけなので、取り外しが容易で、掃除の手間も少なくすることができる。
【００４１】
また、載せるだけの簡素な構造で済むので、抜け止めのための構造を省略できる結果、部品点数を少なくして構造も簡素化できる。例えば、アームの抜け止めのためのナットが従来設けられていたが、本実施の形態では省略されている。しかも、組立時には、アーム５を載せるだけで済むので、組立の手間もかからず、製造コストを低減することができる。
【００４２】
支持軸６に圧受け部材である仕切部材６ａを設けたので、支持軸６の内部に上向きにかかる水圧を支持軸６を介して洗浄室３の底部３ａで受け止めることができる。その結果、アーム５が外れることを防止することができる。さらに、万一、仕切部材６ａの上方で上向きの水圧がアーム５にかかる場合にも、水圧は圧抜き孔５１ｆ，５１ｇを通じて逃がされるので、アーム５が外れることを確実に防止することができる。ここで、圧受け部材としては、水圧を受け止める部材に限らず、上向きの水圧がかかる部材であればよく、この部材が水を案内する等の機能を有していても構わない。
【００４３】
また、圧抜き孔５１ｆ，５１ｇは、仕切部材６ａの背後にあるので、アーム５内へ送る水圧の低下を防止しつつ、アーム５が外れる方向へ働く水圧を緩和することができる。
また、各噴射口５ａからの水に加えて、圧抜き孔５１ｆ，５１ｇから吹き出す水により、洗浄力を高めることができる。
【００４４】
仕切部材６ａの下面の、周縁に向かって上り傾斜した傾斜面により、洗浄時には、アーム５の噴射口５ａへ水をスムーズに送って、効率よく洗浄することができる。
また、洗浄時の水が仕切部材６ａの上に溜まることが想定されるが、このように溜まる水を、運転停止時に連通孔６ｕを通じて下方へ排水できるので、仕切部材６ａの上面６ｓに水が溜まることを防止できる。その結果、溜まった水に起因した異臭が発生する虞がない。
【００４５】
また、各圧抜き孔５１ｆ，５１ｇは連通孔６ｕよりも大きいので（図２で寸法ＤＢ＞寸法ＤＡ，寸法ＤＥ＞寸法ＤＡ）、万一、連通孔６ｕをゴミや汚れ等の異物が通ったとしても、圧抜き孔５１ｆ，５１ｇからスムーズに排出される結果、異物の詰まりを防止することができる。
また、上述の一対の嵌合面が支持軸６の上端近傍に設けられる場合には、アーム５を載せるときの最後に嵌合すればよく作業し易い。さらに、一対の嵌合面の間に隙間がある場合には、嵌合し易く、より一層作業し易い。
【００４６】
特に、圧抜き孔５１ｇは、嵌合面の間の隙間Ｓの上方に設けられたので、洗浄時に、水が隙間Ｓを通るとしても、アーム５にかかる水圧を弱める結果、アーム５が外れることをより一層確実に防止することができる。さらに、洗浄時に、水中の異物が隙間Ｓに入るとしても、隙間Ｓから圧抜き孔５１ｇを通って排出されるので、異物が隙間Ｓに詰まることを防止することができる。その結果、アーム５の回転が阻害される虞はない。
【００４７】
また、斜面のある圧抜き孔５１ｆであれば、水を斜面に沿って斜め方向に広がらせながら吹き出すことができるので、アーム５の回転に伴い広い範囲に向けて水を吹き出せる結果、真上だけに水を吹き出す場合に比べて、洗浄能力を高めることができる。
また、圧抜き孔５１ｆの出口を入口よりも広くしたので（図２の寸法ＤＣ＞寸法ＤＢ）、異物が圧抜き孔５１ｆをスムーズに通過できる結果、異物が詰まることを防止できる。
【００４８】
また、支持軸６がアーム５の孔５ｂ内へ入り込む距離（図２の寸法Ｌ５）は、食器籠４の下面４ｃとアーム５の上面部５１の頂面部５１ｃとの間隔Ｌ２よりも長くされている。これにより、万一、アーム５が水圧により持ち上げられる場合であったとしても、食器籠４の下面４ａとぶつかることにより、持ち上げ量が規制され、アーム５が外れることをより一層確実に防止することができる。
【００４９】
さらに、支持軸６の上端近傍にある一対の嵌合面の嵌合長さＬ１，Ｌ３は、上述の間隔Ｌ２よりも長くされている場合には、万一、アーム５が水圧により持ち上げられ食器籠４の下面４ａとぶつかるときに、嵌合を維持できるので、水の噴射の反力がアーム５を下方に押すと、アーム５は自律的にもとの状態に確実に戻ることができる結果、洗浄を支障なく行うことができる。
【００５０】
ここで、アーム５がもとの状態に戻るには、押し上げられたときに傾かないことが好ましいので、支持軸６の上端近傍にある一対の嵌合面同士の嵌合長さであって、最も短い嵌合長さ、例えば、嵌合長さＬ３が、上述の間隔Ｌ２よりも長いのが好ましい。
また、支持軸６とアーム５とは、軸方向に離れた位置にある複数箇所で嵌合しているので、アーム５は、水平に維持され易くもとの状態に戻り易い。
【００５１】
ところで、本食器洗い機１の前面にあるケース２２は、図４および図５に示すように、開閉扉２１の開閉機構２７を介してキャビネット２の底部構造材２６に取り付けられている。
ケース２２は、後方に開放された箱形状に形成されている。すなわち、ケース２２は、操作パネルが設けられる前面部２２ａと、この前面部２２ａの周縁部から後方に向けて延びる上面部２２ｂ、下面部２２ｃ、左側面部２２ｄ（図６参照）および右側面部２２ｅとを有し、これらは一体に樹脂材により形成されている。このケース２２の固定は、以下のようになされる。ケース２２の裏面側の、ケース２２の前面部２２ａおよび左右側面部２２ｄ，２２ｅとの間の隅部には、上面部２２ｂと略平行な取付板部２２ｆが一体に形成されている。この取付板部２２ｆは、上面部２２ｂと所定距離下方の位置に左右に一対で設けられ、係止孔２２ｇをそれぞれ有している。この係止孔２２ｇが、開閉機構２７の支持部材７３の引っ掛け凸部７３ｇに嵌め込まれている。また、ケース２２の下面部２２ｃには挿通孔２２ｈが形成され、この挿通孔２２ｈにビス２８が通される。ビス２８は、キャビネット２の底部構造材２６の前端部に形成された雌ねじ孔にねじ込まれ、ケース２２の下面部２２ｃが底部構造材２６に固定されている。
【００５２】
このように、ケース２２を係止するための係止孔２２ｇが、上面部２２ｂの下方に設けられたので、上面部２２ｂに係止孔を開口せずに済む結果、上面部２２ｂの防水性を高めて、ケース２２の内部にある回路基板２４等に水がかかることを確実に防止することができる。従って、回路基板２４等の防水構造を簡素化することができる。
【００５３】
また、孔のない上面部２２ｂであれば、ケース２２の見栄えもよい。特に、上面部２２ｂと取付板部２２ｆとが離れて設けられている場合には、上面部２２ｂの肉厚が厚くならずに済むので、樹脂成形に好ましい。なお、従来のケースでは、上面部に係止孔が開口するので、この係止孔を通じて開閉扉から垂れ落ちる水がケース内部に侵入する虞があった。
【００５４】
また、係止孔２２ｇはケース２２の内側に配置されるので、開閉扉２１の邪魔にならずに引っ掛け凸部７３ｇとの引っ掛け長さを長くできる結果、ケース２２を確実に係止することができる。なお、従来のケースでは、上面部に係止孔があったので、係止孔に嵌まった状態の引っ掛け凸部が開閉扉に引っかからないように、引っ掛け長さも抑制されていた。
【００５５】
また、開閉機構２７は、開閉扉２１に取付金具７１，７４を介して取り付けられた左右方向に延びた回動中心軸７２、この回動中心軸７２の周囲に巻き付けられて開閉扉２１を閉じるように付勢するつるまきばね７５、および回動中心軸７２に係合つつ回動可能に支持する支持部材７３とを有している。これら各部は、開閉扉２１の左右に一対で設けられている。支持部材７３は、キャビネット２の底部構造材２６の前寄りの左右に立設された支持柱部の外側の側面に、複数のビス７６（一部のみ図示）を雌ねじ孔２６ｊにねじ込むことにより固定されている。
【００５６】
支持部材７３は、板状の主体部７３ａと、主体部７３ａの前端にあって回動中心軸７２を回動自在に保持する軸保持部７３ｂと、つるまきばね７５の一端７５ａが引っ掛けられる引っ掛け係合部７３ｃと、主体部７３ａの頂部に折り曲げ状に形成されて取付金具７４の端部７４ａと当接する係止部７３ｄと、底部構造材２６に固定するための複数のビス７６の挿通孔７３ｅと、ケース２２の係止孔２２ｇに嵌め込まれる引っ掛け凸部７３ｇとを有している。主体部７３ａが底部構造材２６に固定され、この状態で、開閉扉２１を開閉すると、取付金具７４の端部７４ａは、支持部材７３の表面に沿って変位し、開閉扉２１の開成状態で係止部７３ｄと当接して開成状態を安定して維持することができる。また、開成状態では、つるまきばね７５の復元力が開閉扉２１に閉じる方向に作用し、開閉扉２１を容易に閉じることができる。
【００５７】
引っ掛け係合部７３ｃは、複数、例えば、２箇所に設けられ、各引っ掛け係合部７３ｃは、上下方向に並んでいる。これは、つるまきばね７５を異なるものに変更するためのものである。というのは、開閉扉２１の重量が異なる場合には、つるまきばね７５の仕様、例えば、巻き数や端部７５ａの長さ等が異なるつるまきばね７５に変更して、その復元力を異ならせることがあるからである。このように、複数の引っ掛け係合部７３ｃを設けたので、単一の支持部材７３で、複数の異なるつるまきばね７５に対応することができる。
【００５８】
また、ケース２２の裏面側には、ここに配置される回路基板２４を覆うカバー２９が固定されている。このカバー２９には、図６の後面図に示すように、回路基板２４から延びる多数のリード線を束ねた線材束２４ａを固定するための線材止め具２９ｂが設けられている。
線材止め具２９ｂは、カバー２９の側面２９ａに一体に弾性変形可能な樹脂により形成されている。線材止め具２９ｂはカバー２９の側面２９ａとの間に線材束２４ａを挟持する主体板部２９ｃと、この主体板部２９ｃの両端からカバー２９の側面２９ａに延びる一対の脚部２９ｄ，２９ｅとを有している。一方の脚部２９ｄは、主体板部２９ｃの一端と側面２９ａとをつないでいる。他方の脚部２９ｅの一端は主体板部２９ｃの他端につながり、カバー２９の側面２９ａ寄りにある脚部２９ｅの他端には、鉤部２９ｆが形成されている。この鉤部２９ｆと係合可能な鉤部２９ｇが、カバー２９の側面２９ａに立設されている。一対の鉤部２９ｆ，２９ｇが離れた状態で、各部は一体に形成されている（この状態を一点鎖線で図示した。）。また、線材止め具２９ｂを弾性変形させて、一対の鉤部２９ｆ，２９ｇを係合させることで、一対の脚部２９ｄ，２９ｅと、主体板部２９ｃと、側面２９ａとで囲まれる内部に線材束２４ａを収容し、この線材束２４ａを主体板部２９ｃと側面２９ａとの間に挟持して、確実に保持することができる（この状態を図６に図示した。）。
【００５９】
特に、本実施の形態の主体板部２９ｃは、２つの傾斜状の部分２９ｈ，２９ｉからなり、これらの各部分２９ｈ，２９ｉは、主体板部２９ｃの中央で接続されている。主体板部２９ｃは、中央部がカバー２９の側面２９ａに向けて張り出し、各部分２９ｈ，２９ｉは、互いにつながる部位から脚部２９ｄ，２９ｅに向かう程に、カバー２９の側面２９ａに対して遠ざかるように形成されている。線材止め具２９ｂは、全体として略Ｍ字形状に形成されている。
【００６０】
この形状の線材止め具２９ｂであれば、線材束２４ａの固定高さＬ４（カバー２９の側面２９ａからこの側面２９ａと反対側となる線材束２４ａの部分の距離）を抑制することができる。というのは、線材束２４ａが挟持されると、主体板部２９ｃの中央部を反挟持方向に押し出すこととなる。このとき、仮に主体板部２９ｃの中央部が押し出されても、主体板部２９ｃの中央部は反挟持方向へ凹んでいるので、この中央部は脚部２９ｄ，２９ｅ寄り部分に比べて反挟持方向に突出することが防止される。また、主体板部２９ｃの中央部がカバー２９の側面２９ａに向けて突出しているので、線材束２４ａは中央部よりも脚部２９ｄ，２９ｅ寄りで収容され易い結果、主体板部２９ｃの中央部にかかる押し出し力を低減することができる。また、略Ｖ字状の主体板部２９ｃは、その形状を真っ直ぐにするようにＶ字の頂部を押されるときには、その形状を保てる間であれば、真っ直ぐな板形状のものに比べて、撓み難くなるからである。
【００６１】
上述のように線材束２４ａの固定高さを抑制できるので、線材束２４ａを固定するために要するスペースを少なくできる。その結果、例えば、回路基板２４等を配置するためのスペースを大きくすることができるので、従来２枚必要とされた回路基板２４を１枚にすることができ、部品点数を低減でき、構造を簡素化することができる。
【００６２】
従来の線材止め具では、主体板部が平板形状や、反挟持方向に張り出すような円弧形状に形成されていた。この場合には、多数の線材を挟持する際に、線材が主体板部を反挟持方向に押し出して、線材束の固定高さが大きくなる傾向にあり、固定のためのスペースも広く必要であった。
なお、上述の実施の形態では、洗浄室３には、凸部３ｃの載置部３ｅと、支持軸６の載置部６ｏとが設けられていたが、アーム５を載置するためには、少なくとも一方があればよい。また、アーム５は、支持軸６以外の洗浄室３の底部３ａに設けられた部材を介して載せられていてもよい。
【００６３】
その他、本発明の要旨を変更しない範囲で種々の設計変更を施すことが可能である。
【００６４】
【発明の効果】
請求項１に記載の発明によれば、アームの取り外しが容易で掃除の手間も少なくできる。また、少ない部品点数で構造を簡素化でき、組立に手間もかからず、製造コストを低減することができる。
アームの孔に支持軸を、アームの上面と食器籠の下面との間隔よりも長い距離で入れたので、アームが外れることを確実に防止できる。
【図面の簡単な説明】
【図１】本発明の一実施の形態を示す食器洗い機の概略構成の側面断面図である。
【図２】図１に示す食器洗い機のアームの取付構造の側面断面図である。
【図３】図２に示すアームの中央部の平面図である。
【図４】図１に示す食器洗い機の開閉扉近傍の側面断面図である。
【図５】図４に示す開閉機構の分解斜視図である。
【図６】図１に示す食器洗い機のケースの後面図である。
【符号の説明】
３  洗浄室
３ａ  洗浄室の底部
４  食器籠
５  アーム
５ａ  噴射口
５ｂ  孔
６  支持軸（軸）
６ａ  仕切部材（圧受け部材）
６ｂ，６ｃ  開口
６ｐ  第５周面（上端近傍部分）
６ｑ  第６周面（上端近傍部分）
６ｔ  仕切部材の下面（傾斜面）
６ｕ  連通孔
５１  上面部
５１ｆ，５１ｇ  圧抜き孔
Ｃ  取付構造
Ｌ２  食器籠の下面とアームの上面との間隔
Ｓ  隙間
【図１】
0003670881.tif 000002
【図２】
0003670881.tif 000003
【図３】
0003670881.tif 000004
【図４】
0003670881.tif 000005
【図５】
0003670881.tif 000006
【図６】
0003670881.tif 000007